(57)【要約】      （修正有）【課題】大掛かりな施工を伴うことなしに設置や移設を行うことができ、しかも、天板付近に位置する人がマスキング音に邪魔されることなく会話等を行うことができるとともに、その会話等の音声を周囲の人に聞きとられるのを効果的に抑制することができる天板付家具を提供する。【解決手段】天板付家具Ａに、天板１を有する家具本体と、この家具本体の天板１との間に緩衝体たる紐３３を介在させた状態で該天板１の下に設けられたサウンドマスキング用のスピーカ４とを具備させる。【選択図】図２
2014061088.tif 000002
【特許請求の範囲】
【請求項１】
天板を有する家具本体と、この家具本体の天板との間に緩衝体を介在させた状態で該天板の下に設けられたサウンドマスキング用のスピーカとを具備してなることを特徴とする天板付家具。
【請求項２】
天板及び前記天板の下に配された幕板を有する家具本体と、この家具本体の幕板に取り付けられたサウンドマスキング用のスピーカとを具備してなることを特徴とする天板付家具。
【請求項３】
前記家具本体が、前記天板の下に配された幕板を備えたものであり、前記スピーカが、この幕板に取り付けられたものである請求項１記載の天板付家具。
【請求項４】
前記幕板が、１枚の平板素材を主体に構成されたものである請求項２又は３記載の天板付家具。
【請求項５】
前記幕板が、複数枚の平板素材を交差させて構成されたものである請求項２又は３記載の天板付家具。
【請求項６】
前記幕板が、筒状のものである請求項２又は３記載の天板付家具。
【請求項７】
前記幕板が、前記緩衝体を介して前記天板の下に懸吊支持されたものである請求項２、３、４、５又は６記載の天板付家具。
【発明の詳細な説明】
【技術分野】
【０００１】
本発明は、サウンドマスキング効果を発揮し得る天板付家具に関する。
【背景技術】
【０００２】
オフィスビル等にあって、隣接する室間や離れたデスク間で物音や話し声が漏れ伝わると、それがうるさく感じられたり、プライバシーまたは情報セキュリティの防護に差し障ったりする。この問題を緩和ないし解消するために、マスキング効果及びカクテルパーティ効果を応用したサウンドマスキング設備が考案されている。
【０００３】
例えば、下記特許文献１には、フロアの天井（または、天井裏）に設置したスピーカからピンクノイズやホワイトノイズ等のマスキング音を放音して隣室の物音や話し声をマスキングするシステムが開示されている。だが、重量のあるスピーカを天井に直接固定しなければならず、その施工に手間がかかる。
【０００４】
また、このようなサウンドマスキングは、デスク等を介して会話している人たちや周辺にいる人にもサウンドマスキングの音をかけてしまい、会話の邪魔になる場合もある。さらに、デスクの配置替え等に対応させてサウンドマスキングの効果範囲を変更したい場合、サウンドマスキング設備の移設工事が必要になることもある。
【先行技術文献】
【特許文献】
【０００５】
【特許文献１】特開２００８−２３３６７２号公報
【発明の概要】
【発明が解決しようとする課題】
【０００６】
本発明は、このような事情に着目してなされたもので、前述した問題点をことごとく防止又は抑制することができる天板付家具を提供しようとするものである。
【課題を解決するための手段】
【０００７】
上述した課題を解決するべく、本発明では、天板付家具にピンクノイズやホワイトノイズ等のマスキング音を放音するスピーカを組み込んだものである。すなわち、本発明に係る天板付家具の一つは、天板を有する家具本体と、この家具本体の天板との間に緩衝体を介在させた状態で該天板の下に設けられたサウンドマスキング用のスピーカとを具備してなる。
【０００８】
ここで、天板付家具とは、使用者の頭部よりも低い位置に天板が配されている家具全般を意味し、デスクやテーブル等を包括した概念である。また、スピーカとは、自ら振動板を有する通常のタイプのものだけでなく、取付対象物を振動させて音を発するタイプのものをも含む概念である。さらに、緩衝体は、スピーカの振動が天板に伝達されて天板が振動板として機能するのを防止又は抑制することができるものであればどのようなものであってもよく、例えば、ゴムや合成樹脂により作られたブッシュや紐等を包括する概念である。
【０００９】
このような構成のものであれば、スピーカから発せられるマスキング音は、主に天板の下方空間から外側方に放散されることになる。しかし、天板の上方及びその周囲近傍の空間には該天板に遮蔽されてスピーカからのマスキング音が届き難い状態となる。そのため、天板の周縁近傍に位置する人は、マスキング音に包まれることなく直接対話、あるいは、テレビ会議等を行うことが可能になる。これに対して、天板から離れた空間には天板の下から放散されるマスキング音が到達してマスキング効果が発揮されることになる。
【００１０】
また、本発明に係る天板付家具の他の一つは、天板を有する家具本体と、天板及び前記天板の下に配された幕板を有する家具本体と、この家具本体の幕板に取り付けられたサウンドマスキング用のスピーカとを具備してなる。このような構成のものであっても、本発明の最も主要な効果、すなわち、天板の周縁近傍に位置する人は、マスキング音に包まれることなく直接対話、あるいは、テレビ会議等を行うことが可能になるのに対して、天板から離れた空間には天板の下から放散されるマスキング音が到達してマスキング効果が発揮されることになるという効果を得ることができる。
【００１１】
前者の天板付家具において、前記家具本体が、前記天板の下に配された幕板を備えたものである場合には、この幕板にスピーカを取り付けるのがよい。
【００１２】
以上に述べた天板付家具における前記幕板の具体的な態様としては、一枚の平板素材を主体に構成されたものや、複数枚の平板素材を交差させて構成されたもの、或いは、筒状のもの等を挙げることができる。
【００１３】
幕板にスピーカを取り付ける場合には、その幕板を前記緩衝体を介して前記天板の下に懸吊支持させておくのが望ましい。特に、幕板を音声発生用の振動板として機能させるタイプのスピーカを使用する場合には、この箇所に緩衝体を配することは必須である。
【発明の効果】
【００１４】
本発明によれば、大掛かりな施工を伴うことなしに設置や移設を行うことができ、しかも、天板付近に位置する人がマスキング音に邪魔されることなく会話等を行うことができるとともに、その会話等の音声を周囲の人に聞きとられるのを効果的に抑制することができる天板付家具を提供することができる。
【図面の簡単な説明】
【００１５】
【図１】本発明の一実施形態に係る天板付家具の全体斜視図。
【図２】同実施形態に係る天板付家具の側面図。
【図３】同実施形態に係る天板付家具の要部を示す底面斜視図。
【図４】同実施形態に係る天板付家具の要部を示す側断面図。
【図５】同実施形態に係る天板付家具の使用態様を示す概略図。
【図６】本発明の他の実施形態に係る天板付家具の平面図。
【図７】本発明の他の実施形態に係る天板付家具の平面図。
【図８】本発明の他の実施形態に係る天板付家具の平面図。
【発明を実施するための形態】
【００１６】
本発明の一実施形態を、図面を参照して説明する。図１に、本実施形態の天板付家具Ａの全体概要を示す。本実施形態の天板付家具は、天板１と、この天板１の四隅部を支持する複数の脚体２と、前記天板１の下面１ａに懸吊支持された幕板３と、この幕板３に取り付けられたスピーカ４とを具備してなる。
【００１７】
天板１は、図１〜図３に示すように、例えば、平面視長方形状のもので、その中央部に配線を出し入れするための配線挿通窓１１を有している。そして、この配線挿通窓１１の下方に配線受け１２が設けられている。配線受け１２は、多数の開口を有するカゴ状のもので、ビス１３を用いて天板１の下面に止着されている。また、天板１の上面には、天板面を２つの使用領域に区画するデスクトップパネル１４が取り付けられている。
【００１８】
脚体２は、図１〜図３に示すように、下端にキャスタ２１を有する脚支柱２２と、この脚支柱２２の上端に固設けられ前記天板１の下面１ａを支持する天板受部２３とを具備してなるもので、前記天板受部２３は図示しないビスを用いて天板１に止着されている。
【００１９】
幕板３は、一枚の平板素材を主体に構成されたものである。具体的には、図１〜図３に示すように、平板素材である透光性を有する合成樹脂板の上縁近傍部に取付スリット３１を形成するとともに、下縁近傍部に通気性や意匠性を向上させるための化粧スリット３２を形成してなるものである。この幕板３は、前記取付スリット３１に挿通させた緩衝体である帯状をなす合成樹脂製の紐３３を介して前記天板１の下面１ａに設けられた配線受け１２に懸吊支持されている。この実施形態における幕板３は、前記デスクトップパネル１４により区画された２つの使用領域に対応する２つの下肢空間を区成する位置に配されている。この幕板３と、前記天板１と、前記脚体２とは、家具本体を構成している。そして、この幕板３の一面に、前記スピーカ４が取り付けられている。
【００２０】
前記スピーカ４は、例えば、前記幕板３を振動体として音を発生させるタイプのもので、図４に示すように、フレーム５と、このフレーム５に取り付けられ軸心まわりに円環状をなして形成された磁気ギャップ６５を有する磁気回路６と、この磁気回路６の磁気ギャップ６５に係わらせて設けられ前記軸心方向に沿って進退可能な駆動体７と、この駆動体７を進退動作を許容した状態でフレーム５に支持させるダンパ８とを備えている。
【００２１】
フレーム５は、図４に示すように、円筒状をなすもので、一端部外周に鍔部５１を備えている。そして、このフレーム５の内周に前記磁気回路６を装着するとともに、前記鍔部５１の下面５２に前記ダンパ８の外周縁部８１を取り付けている。鍔部５１の一部には、端子取付部５３が設けられており、この端子取付部５３に取り付けた絶縁ベース５４の両端に対をなす端子５５が設けられている。このフレーム５は、合成樹脂により一体に作られている。
【００２２】
磁気回路６は、図４に示すように、円盤状をなす第一の永久磁石６１と、この第一の永久磁石６１の一方の極をなす一端面に添設されたお椀形をなすヨーク６２と、前記第一の永久磁石６１の他方の極をなす他端面に添設された円盤状をなすプレート６３と、このプレート６３における第一の永久磁石６１と反対側に添設された円盤状をなす第二の永久磁石６４とを備えたもので、前記ヨーク６２の内周面と前記プレート６３の外周面との間に前記円環状をなす磁気ギャップ６５が形成されている。ヨーク６２及びプレート６３は、磁性体材料により作られている。なお、このように第一、第二の永久磁石６１、６４の間に鉄板であるプレート６３を挟持した構成とすると、磁界を強める働きが得られる。
【００２３】
駆動体７は、図４に示すように、円筒状をなすコイルボビン７１と、このコイルボビン７１に巻装されたボイスコイル７２とを備えたもので、前記ボイスコイル７２を前記磁気ギャップ６５内に位置させている。前記ボイスコイル７２の両端は、リード線７４を介して前記端子５５にそれぞれ電気的に接続されている。コイルボビン７１の外方端には、鍔状をなす取付部７３が形成されており、この取付部７３が前記振動体として機能する前記幕板３に取り付けられる。
【００２４】
ダンパ８は、図４に示すように、波紋状をなす弾性変形可能な板材により構成された円環状をなすもので、外周縁部８１に対して内周縁部８２が厚み方向に容易に変位し得るように構成されている。前記駆動体７のコイルボビン７１は、このダンパ８の内周縁部８２に支持されている。
【００２５】
このスピーカ４は、当該スピーカ４を介して出力する音Ｓを再生するための音響再生装置と接続されている。このスピーカ４に供給されるサウンドマスキング音Ｓの信号としては、少なくとも可聴域にてパワーが周波数に反比例する傾向を有したピンクノイズ、少なくとも可聴域にてパワーが周波数によらず略均一な傾向を有したホワイトノイズ等を挙げることができる。尤も、これらのノイズに、鳥の囀りのような環境音やバックグラウンドミュージック等を重畳しても構わない。
【００２６】
因みに、スピーカ４から放音するマスキング音Ｓの大きさを、フィードバック制御してもよい。例えば、天板１の下に音場を測定するためのセンサ（マイク等。図示せず）を設置し、このセンサを介して測定した音場に応じて、音響再生装置からスピーカ４に印加するマスキング音Ｓの信号の強度を増減調節する。
【００２７】
このような構成のものであれば、前記音響再生装置から前記スピーカ４の両端子５５にサウンドマスキング用の音声信号を与えることにより、前記幕板３全体が幕振動してサウンドマスキング用のマスキング音Ｓが発生する。このマスキング音Ｓは、図５に模式的に示すように、主に幕板３の両面に直交する方向に向けて放出され、漸次広がりながら周囲に放散されることになる。一方、天板１の上方及びその近傍の領域は、マスキング音Ｓの放出方向と天板１による遮音効果とが相俟って、あまりマスキング音Ｓが届かない空間となる。そのため、天板１に向って着座している人Ｂ同士はマスキング音Ｓに邪魔されることなく会話することが可能となる。また、前記天板１に向って着座している人Ｂが天板１上に載置した図示しないパーソナルコンピュータを介してテレビ会議等を行う場合も同様な効果が得られる。しかも、本実施形態に係る天板付家具Ａの前記天板１から離れた空間には前述したようにマスキング音Ｓによるマスキング効果が惹起されるので、例えば、廊下Ｃや他の家具Ｄの付近にいる人Ｅ，Ｆには、前記天板１の上方近傍で発生する会話等による音声は聞こえ難くなる。
【００２８】
したがって、この天板付家具Ａを用いることによって、周辺に音声が伝わり難い状態で、クリアに直接的な会話やテレビ会議システムを介した会話等を行うことが可能となる。しかも、天板付家具Ａにサウンドマスキング用のスピーカ４を搭載しているので、天井等の建築物に対する施工が不要となり、設置を容易に行うことができる。また、配置替え等に際しても、天板付家具Ａを移動させるだけでサウンドマスキング効果が発揮される領域を変更することができるので、天井等に配されたスピーカの移設工事も不要となる。本実施形態のように、キャスタを有した天板付家具Ａであれば、特に、移動を楽に行うことができ、自在に移動させて多様なマスキング効果を演出することが可能になる。
【００２９】
なお、本発明は以上に詳述した実施形態に限られるものではない。
【００３０】
すなわち、前記実施形態では、取付対象物である幕板と天板との間に緩衝体である紐を介在させるとともに、幕板を振動体として利用するタイプのスピーカを使用した場合について説明したが、緩衝材を介さずに幕板を天板側に固定し、この幕板に独自の振動板（コーン紙等）を有した通常タイプのスピーカを取り付けるようにしてもよい。この場合には、幕板とスピーカとの間に緩衝体を介在させておくとよい。また、スピーカの個数も１個に限らず、複数であってもよい。
【００３１】
また、天板も前記実施形態のように２人で対面使用するデスクタイプのものに限定されるものではなく、１人で使用するデスクタイプのもの、或いは３人以上で使用するテーブルタイプのもの等であってもよい。天板の平面形状は、四角形以外の多角形、円形、長円形、楕円形、その他のものであってもよい。
【００３２】
さらに、スピーカの取付対象物は幕板に限られないのは勿論であるが、スピーカを幕板に取り付ける場合であっても、その幕板の形態や取付位置については種々変形が可能である。前記実施形態以外の形態をなす幕板としては、複数枚の平板素材を交差させて構成されたものや筒状のもの等を挙げることができる。
【００３３】
例えば、図６に模式的に示す天板付家具Ｘは、１人で使用するデスクタイプの四角形の天板Ｘ１の下に、該天板Ｘ１の反使用端側に位置させて１枚の平板素材を主体に構成され図示しない紐等の緩衝体を介して懸吊支持された平板状の幕板Ｘ３を配し、この幕板Ｘ３にスピーカＸ４を取り付けたものである。このような構成のものは、天板上に載置したパーソナルコンピュータやテレビジョンの画面等に向って使用者が会話するような業務に好適である。図７に模式的に示す天板付家具Ｙは、周囲から３人以上で使用可能なテーブルタイプの四角形をなす天板Ｙ１を備えたものである。この天板Ｙ１の下に配された幕板Ｙ３は、天板Ｙ１に図示しない紐等の緩衝体を介して懸吊支持された４枚の平板素材Ｙ３１を直交させて構成されたものである。この場合、スピーカＹ４は、同図に示すように、法線の方向が相互に異なる平面素材Ｙ３１にそれぞれ設けておくのが好ましい。図８に模式的に示す天板付家具Ｚは、周囲から３人以上で使用可能なテーブルタイプの円形をなす天板Ｚ１を備えたものである。この天板Ｚ１は、中央に配線挿通窓Ｚ１１を有する。また、この配線挿通窓Ｚ１１の下方に配線受けＺ１２が設けられている。この配線受けＺ１２には、図示しない紐等の緩衝体を介して幕板Ｚ３を懸吊支持している。すなわち、この幕板Ｚ３は前記天板Ｚ１の下に配されている。この幕板Ｚ３は筒状のものである。この例では、幕板Ｚ３の１か所にスピーカＺ４を設けている。
【００３４】
その他各部の具体的構成は、本発明の趣旨を逸脱しない範囲で種々変形が可能である
【産業上の利用可能性】
【００３５】
本発明は、オフィスで使用されるデスクやテーブル等の天板付家具に適用することができる。
【符号の説明】
【００３６】
Ａ…天板付家具
１…天板
３…幕板
３３…緩衝体（紐）
４…スピーカ
【図１】
2014061088.tif 000003
【図２】
2014061088.tif 000004
【図３】
2014061088.tif 000005
【図４】
2014061088.tif 000006
【図５】
2014061088.tif 000007
【図６】
2014061088.tif 000008
【図７】
2014061088.tif 000009
【図８】
2014061088.tif 000010